(57)【要約】【課題】筒状ケース内に圧縮空気の流動による脈動が発生しても、球弁が筒状ケース内で振動しないようにする。【解決手段】筒状ケース内４に、圧縮空気が導入口２ａ側から球弁５を通過して導出口３ａ側へ流れるとき、球弁５の上流側外周面に作用する圧力に対して下流側外周面に作用する圧力が負圧になる差圧を生じさせ、この差圧をもって球弁５を弁受け６の座部６ａに押圧させる差圧作用手段６ａ、６ｂを設ける。【選択図】      図２
2008175166.tif 000002
【特許請求の範囲】
【請求項１】
圧縮機の吐出側に接続される導入口及び前記導入口から導入した圧縮空気を導出する導出口を備えた筒状ケースと、前記筒状ケース内に設けられ、前記圧縮空気が前記導入口から前記導出口へ向けて流れるとき、前記筒状ケース内に形成された弁シート面から離間して前記導入口側の流路を開放し、前記圧縮空気が前記導出口から前記導入口へ向けて流れるとき、前記弁シート面に接して前記導入口側の流路を閉塞する球弁と、前記筒状ケース内における前記圧縮空気が流れる流路に設けられ、前記球弁が前記弁シート面から離間したとき、前記球弁と前記弁シート面との間の開度を規制する弁受けとを備えた圧縮機の逆止弁において、
前記圧縮空気が前記導入口側から前記球弁を通過して前記導出口側へ流れるとき、前記球弁の外周面における前記導入口側を向く上流側外周面に作用する圧力に対して前記導出口側を向く下流側外周面に作用する圧力が負圧になる差圧を生じさせ、この差圧をもって前記球弁を前記弁受けの座部に押圧させる差圧作用手段を設けたことを特徴とする圧縮機の逆止弁。
【請求項２】
差圧作用手段は、弁受けの座部に設けられ、かつ圧縮空気が導入口側から球弁を通過して導出口側へ流れるとき、前記球弁の上流側外周面に作用する圧力に対して下流側外周面に作用する圧力が負圧になる差圧を生じさせる絞り通路と、前記弁受けの座部に前記導入口側と前記導出口側とを繋ぐ流路を連通するように貫通形成され、かつ前記差圧を前記球弁の下流側外周面に直接作用させて前記球弁を前記座部に吸引して、前記球弁により閉塞される貫通孔とを有することを特徴とする請求項１記載の圧縮機の逆止弁。
【請求項３】
差圧作用手段は、球弁が遊嵌されるとともに、前記球弁の径より僅かに拡径の内周面を有する円筒部と、前記円筒部の内周面と前記円筒部内に遊嵌される前記球弁との間に形成され、かつ圧縮空気が導入口側から球弁を通過して導出口側へ流れるとき、前記球弁の上流側外周面に作用する圧力に対して下流側外周面に作用する圧力が負圧になる差圧を生じさせる絞り通路とを有することを特徴とする請求項１記載の圧縮機の逆止弁。
【発明の詳細な説明】
【技術分野】
【０００１】
本発明は、圧縮機の吐出側に接続される逆流防止用の逆止弁に関する。
【背景技術】
【０００２】
圧縮機の逆止弁においては、圧縮機の吐出側に接続される導入口及び導入口から導入した圧縮空気を導出する導出口を備えた筒状ケースと、筒状ケース内に設けられ、圧縮空気が導入口から導出口に向けて流れるとき、筒状ケース内に形成された弁シート面から離間して導入口側の流路を開放し、また、圧縮空気が導出口から導出口へ向けて流れるとき、弁シート面に接して導入口側の流路を閉塞する球弁と、筒状ケース内に設けられ、球弁が弁シート面から離間したとき、球弁と弁シート面との間の開度を規制する弁受けとを備えているものがある（例えば、特許文献１参照）。
【特許文献１】実開平６−８３９７５号公報
【発明の開示】
【発明が解決しようとする課題】
【０００３】
特許文献１に記載された逆止弁においては、球弁が筒状ケース内に自由状態に設けられているため、圧縮機の稼働により圧縮空気が導出口から導出口へ向けて流動するときの脈動により、球弁が振動して弁受けまたはその周辺に当接する等して、チャタリング音を発生するおそれがある。
【０００４】
本発明は、従来の技術が有する上記のような問題に鑑み、筒状ケース内に圧縮空気の流動による脈動が発生しても、球弁が筒状ケース内で振動しないようにした圧縮機の逆止弁を提供することを目的とする。
【課題を解決するための手段】
【０００５】
本発明によると、上記課題は次のようにして解決される。
（１）圧縮機の吐出側に接続される導入口及び前記導入口から導入した圧縮空気を導出する導出口を備えた筒状ケースと、前記筒状ケース内に設けられ、前記圧縮空気が前記導入口から前記導出口へ向けて流れるとき、前記筒状ケース内に形成された弁シート面から離間して前記導入口側の流路を開放し、前記圧縮空気が前記導出口から前記導入口へ向けて流れるとき、前記弁シート面に接して前記導入口側の流路を閉塞する球弁と、前記筒状ケース内における前記圧縮空気が流れる流路に設けられ、前記球弁が前記弁シート面から離間したとき、前記球弁と前記弁シート面との間の開度を規制する弁受けとを備えた圧縮機の逆止弁において、前記圧縮空気が前記導入口側から前記球弁を通過して前記導出口側へ流れるとき、前記球弁の外周面における前記導入口側を向く上流側外周面に作用する圧力に対して前記導出口側を向く下流側外周面に作用する圧力が負圧になる差圧を生じさせ、この差圧をもって前記球弁を前記弁受けの座部に押圧させる差圧作用手段を設ける。
【０００６】
（２）上記(１)項において、差圧作用手段は、弁受けの座部に設けられ、かつ圧縮空気が導入口側から球弁を通過して導出口側へ流れるとき、前記球弁の上流側外周面に作用する圧力に対して下流側外周面に作用する圧力が負圧になる差圧を生じさせる絞り通路と、前記弁受けの座部に前記導入口側と前記導出口側とを繋ぐ流路を連通するように貫通形成され、かつ前記差圧を前記球弁の下流側外周面に直接作用させて前記球弁を前記座部に吸引して、前記球弁により閉塞される貫通孔とを有する。
【０００７】
（３）上記(１)項において、差圧作用手段は、球弁が遊嵌されるとともに、前記球弁の径より僅かに拡径の内周面を有する円筒部と、前記円筒部の内周面と前記円筒部内に遊嵌される前記球弁との間に形成され、かつ圧縮空気が導入口側から球弁を通過して導出口側へ流れるとき、前記球弁の上流側外周面に作用する圧力に対して下流側外周面に作用する圧力が負圧になる差圧を生じさせる絞り通路とを有する。
【発明の効果】
【０００８】
本発明によると、次のような効果を奏することができる。
請求項１記載の発明によると、差圧作用手段を、圧縮空気が導入口側から球弁を通過して導出口側へ流れるとき、球弁の上流側外周面に作用する圧力に対して下流側外周面に作用する圧力が負圧になる差圧を生じさせ、この差圧をもって球弁を弁受けの座部に押圧させるものとしたことにより、筒状ケース内で圧縮空気の脈動が生じても、球弁の振動を阻止して、チャタリング音の発生を防止することができる。
【０００９】
請求項２記載の発明によると、差圧作用手段を、球弁の上流側外周面に作用する圧力に対して下流側外周面に作用する圧力が負圧になる差圧を生じさせる絞り通路と、弁受けの座部に導入口側と導出口側とを繋ぐ流路を連通するように貫通形成され、かつ差圧が球弁の下流側外周面に直接作用して球弁を座部に吸引して、球弁により閉塞される貫通孔とに形成したことにより、球弁を弁受けの座部に確実に押圧させることができる。
【００１０】
請求項３記載の発明によると、差圧作用手段を、弁受けに設けた円筒部と、円筒部の内周面と球弁との間に形成され、かつ圧縮空気が導入口側から球弁を通過して導出口側へ流れる絞り通路とにより形成したことにより、絞り通路を境にして生じる差圧により、球弁を弁受けの座部に確実に押圧させることができる。
【発明を実施するための最良の形態】
【００１１】
図１、図２は本発明の第１実施形態を示す。同図において、逆止弁１は、上側にあって、圧縮機（図示略）の吐出口側に導管等を介して接続される導入口２ａを有する筒形の入口側ケース２と下側にあって、圧縮空気貯蔵タンク等に導管等を介して接続される導出口３ａを有する筒形の出口側ケース３とからなる筒状ケース４と、筒状ケース４内に自由状態に介挿される球弁５と、周縁を両ケース２、３の間に狭持固定される円盤状の弁受け６とを備えている。
【００１２】
両ケース２、３の接合面には、フランジ２ｂ、３ｂが設けられている。このフランジ２ｂ、３ｂは、複数の取付ねじ７により接合される。また、両フランジ２ｂ、３ｂの接合面には、Ｏリング８が介在されて組立状態におけるケース２、３間の気密性を確保している。
【００１３】
入口側ケース２の導入部２ａに近い内部には、吐出側に向けてテーパ状に拡径した弁シート面２ｃが形成されている。圧縮空気が導出口３ａから導入口２ａに向けて逆流した場合には、図２に想像線で示すように、球弁５が弁シート面２ｃに接することにより、導入口２ａの流路を閉塞して、圧縮空気の逆流を防止する。
【００１４】
弁受け６における座部６ａの中心には、貫通孔６ｂが形成されている。この貫通孔６ｂは、筒状ケース４内における導入口２ａ側の流路と導出口３ａ側の流路とを連通するように貫通形成され、かつ球弁５が座部に６ａに着座することによって球弁５により閉塞される。
【００１５】
弁受け６の座部６ａにおける貫通孔６ｂの周辺には、複数の絞り通路６ｃが形成されている。絞り通路６ｃは、圧縮空気が導入口２ａ側から球弁５を通過して導出口３ａ側へ流れるとき、弁受け６の座部６ａに着座た球弁５を境にして、導入口２ａ側の圧力に対して導出口３ａ側の圧力が負圧になる差圧が生じるように、圧力気体の流れを絞る。なお、第１実施形態においては、貫通孔６ｂと絞り通路６ｃとにより、本発明における差圧作用手段が形成される。
【００１６】
上記構成において、圧縮機の稼働により、導入口２ａに圧縮空気が導入された場合には、図２に実線で示すように、球弁５が弁受け６の座部６ａに着座して貫通孔６ｂを閉塞する。これにより、圧縮空気は、導入口２ａから球弁５、絞り通路６ｃを通過して導出口３ａに向けて流れる。
【００１７】
絞り通路６ｃを圧縮空気が通過する際、圧縮空気の流れが絞られて流速が高まるため、上流側の圧力に対して下流側の圧力が負圧となる差圧が生じる。この結果、球弁５の外周面における導出口側３ａ側を向く上流側外周面（図２において球弁５のほぼ上半分の面）に作用する圧力に対して負圧となる差圧が、貫通孔６ｂを通して、球弁６の外周面における下流側外周面（図２において球弁５のほぼ下半分の面）に直接作用することとなる。
【００１８】
これにより、球弁５が弁受け６の座部６ａの貫通孔６ｂに吸引されて座部６ａに押圧されるため、筒状ケース４内に圧縮気体の流動による脈動が発生しても、球弁５は、弁受け６の座部６ａに吸引されて着座した静止状態に保持されるため、チャタリング音を発生することはない。また、貫通孔６ｂを、弁受けに６おける座部６ａのほぼ中央に設け、絞り通路６ｃを、座部６ａにおける貫通孔６ｂの周辺に複数個設けたことにより、球弁５を座部５ａの中央に確実に保持することができる。
【００１９】
図３及び図４は本発明の第２実施形態を示す。なお、本実施形態においては、弁受けの構造が異なるだけで、他の構成については、第１実施形態とほぼ同様であるため、同一部分には同一符号を付し、異なる箇所にのみ異なる符号を用いて説明する。
【００２０】
同図において、弁受け１０は、球弁５が当接可能な座部１０ａと、座部１０ａから上流側（導入口２ａ側）に向けて突出して、球弁５が遊嵌されるとともに、球弁５の径より僅かに拡径の内周面を有する円筒部１０ｂと、座部１０ａの外周に沿って設けられ、導入口２ａ側から導入された圧縮気体を導出口３ａ側へ向けて通過させる複数の気体流路貫通孔１０ｃとを有している。
【００２１】
円筒部１０ｂの内周面と円筒部１０ｂ内に遊嵌される球弁６の外周面との間には、絞り通路１１が形成される。この絞り通路１１は、圧縮空気が導入口２ａ側から導出口３ａ側へ向けて流れるとき、球弁５の上流側外周面に作用する圧力に対して下流側外周面に作用する圧力が負圧になる差圧を生じさせるようにするものである。なお、第２実施形態においては、円筒部１０ｂと、絞り通路１１と、気体流路貫通孔１０ｃとにより、本発明における差圧作用手段が形成される。
【００２２】
上記構成により、導入口２ａから導入される圧縮空気は、球弁５と弁受け１０の円筒部１０ｂの内周面との間に形成される絞り通路１１を通過した後、気体流路貫通孔１０ｃを通過して、導出口３ａに向けて流れることとなる。この結果、圧縮空気が絞り通路１１を通過する際、気流が絞られるため、球弁５の上流側外周面に作用する圧力に対して下流側外周面に作用する圧力が負圧となる差圧が生じ、この差圧が、球弁５の下流側外周面に直接作用することとなる。この結果、球弁５は、弁受け１０の座部１０ａに押圧されて静止状態に保持され、筒状ケース内４に圧縮気体の流動による脈動が発生しても、球弁５は、弁受け６の座部６ａに押圧されて静止状態に保持されるため、チャタリング音を発生することはない。また、気体流路貫通孔１０ｃを、座部１０ａの外周に沿って複数個設けたことにより、球弁５を、座部１０ａの中央に確実に保持することができる。
【００２３】
なお、本実施形態においては弁受け１０の座部１０ａ中央を平坦としたが、球弁５の円弧に応じた窪みを形成しても良い。
【図面の簡単な説明】
【００２４】
【図１】本発明の第１実施形態における逆止弁の一部断面分解斜視図である。
【図２】同組立状態の縦断面図である。
【図３】第２実施形態における逆止弁の一部断面分解斜視図である。
【図４】同組立状態の縦断面図である。
【符号の説明】
【００２５】
１  逆止弁
２  入口側ケース
２ａ  導入口
２ｂ  フランジ
２ｃ  弁シート面
３  出口側ケース
３ａ  導出口
３ｂ  フランジ
４  筒状ケース  
５  球弁
６、１０  弁受け
６ａ、１０ａ  座部
６ｂ  貫通孔
６ｃ、１１  絞り通路
７  取付ねじ
８  Ｏリング
１０ｂ  円筒部
１０ｃ  気体流路貫通孔
【図１】
2008175166.tif 000003
【図２】
2008175166.tif 000004
【図３】
2008175166.tif 000005
【図４】
2008175166.tif 000006